【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
電力送信器と複数の受信器とを備える電力伝送システムであって、前記電力送信器は送信コイルのアレイを有し、コントローラの制御の下で、複数のモードのうちの１つで電力信号を各それぞれの電力受信器の受信コイルに送信することを前記送信コイルのアレイに選択的に行わせることが可能であり、
前記コントローラは、前記電力伝送の前記モードを制御するために、前記電力受信器の特性を検出して前記特性を各電力受信器の受信器識別情報に関連付けるよう構成され、
前記コントローラは、前記複数の受信器のそれぞれの前記モード、特性および識別情報に依存して前記アレイにエネルギを与えるよう構成され、
前記電力信号は電磁誘導を用い、前記電力受信器の前記特性は、前記電力信号の変調を用いて検出されるシステム。
【請求項２】
前記電力受信器の前記特性は、前記電力信号上に変調されたデータパケットによって前記受信器から前記送信器に伝えられる請求項１に記載のシステム。
【請求項３】
第１のモードにおいて、前記送信器は、ひとつ以上の前記受信器からの電力フロー制御通信に応答して、送信されている電力の量を調整することによって電力フローを制御し、第２のモードにおいて、ひとつ以上の前記受信器は、前記それぞれの受信コイルにより運ばれる前記電力を調整することによって前記電力フローを制御する請求項１または２に記載のシステム。
【請求項４】
ひとつ以上の前記電力受信器の前記特性はバージョンコードを含み、前記送信器は、前記それぞれのバージョンコードに依存して前記第１または第２のモードで動作するよう構成される請求項３に記載のシステム。
【請求項５】
前記送信器は、前記第２のモードにおいて二つ以上の受信器に同時に電力を伝送するよう構成される請求項１または２に記載のシステム１００。
【請求項６】
ひとつ以上の前記電力受信器の前記特性は、前記受信器の負荷への電力フローを制御するための回路を前記電力受信器が備えているか否かを含む請求項１から５のいずれか一項に記載のシステム。
【請求項７】
受信器位置フェーズ中、エネルギ伝送の前に、前記コントローラは、駆動された送信コイルから前記受信器が受信した信号の強度の指標に関する情報であってひとつ以上の前記受信器から受信した情報に基づいて、前記複数の送信コイルのうちのどれを駆動するかを選択的に制御する請求項１から６のいずれか一項に記載のシステム。
【請求項８】
受信器位置フェーズ中、前記制御回路は前記電力調整回路からの駆動信号を各電力送信コイルに順番に接続し、各コイルに所定の期間エネルギを与える請求項７に記載のシステム１００。
【請求項９】
請求項１から８のいずれか一項に記載のシステムを用いた電力伝送方法であって、前記コントローラは、前記電力受信器に電力を伝送する前に前記電力受信器の前記特性を検出する方法。
【請求項１０】
誘導性電力伝送送信器であって、
送信コイルのアレイ、
複数の電力受信器のそれぞれの受信コイルに複数のモードで電力信号を送信することを前記アレイに選択的に行わせるよう構成されたコントローラ、を備え、
前記コントローラは、前記電力伝送の前記モードを制御するために、各電力受信器の特性を検出して前記特性を各電力受信器の受信器識別情報に関連付けるよう構成され、
前記コントローラは、前記複数の受信器のそれぞれの前記モード、特性および識別情報に依存して前記アレイにエネルギを与えるよう構成され、
前記電力信号は電磁誘導を用い、前記電力受信器の前記特性は、前記電力信号の変調を用いて前記受信器から通信される誘導性電力伝送送信器。
【請求項１１】
第１のモードにおいて、前記送信器は、ひとつ以上の前記受信器からの電力フロー制御通信に応答して、送信されている電力の量を調整することによって電力フローを制御し、第２のモードにおいて、前記送信器はこのように応答しない請求項１０に記載の送信器。
【請求項１２】
ひとつ以上の前記電力受信器の前記特性は、前記受信器の負荷への電力フローを制御するための回路を前記電力受信器が備えているか否かを含む請求項１１に記載の誘導性電力伝送送信器。
【請求項１３】
誘導性電力伝送受信器であって、
ｉ．ひとつ以上の受信コイル、および、
ｉｉ．誘導性電力伝送送信コイルから前記受信コイルにおいて電力を受信すると、前記受信器の負荷への電力フローを制御するための電力フローコントローラを前記受信器が備えているか否かを含む前記受信器の特性に関する信号を前記誘導性電力伝送送信器に送信する通信回路、を備え、
ｉｉｉ．前記電力信号は電磁誘導を用い、前記電力受信器の特性信号は前記電力信号の変調を用いて送信される誘導性電力伝送受信器。
【請求項１４】
前記特性はバージョン情報を含み、
前記バージョン情報は、前記受信器の電力伝送の前記モードを示す請求項１３に記載の誘導性電力伝送受信器。
【請求項１５】
前記バージョン情報は、信号強度パケットに続くパケットで送られる請求項１４に記載の誘導性電力伝送受信器。
【手続補正２】
【補正対象書類名】明細書
【補正対象項目名】０２０４
【補正方法】変更
【補正の内容】
【０２０４】
本発明の実施の形態の説明によって本発明を説明し、また実施の形態を詳細に説明したが、添付の請求項の範囲をそのような詳細に制限したり限定したりするような意図は全くない。当業者には、追加的な利点や変形例は容易に明らかであろう。したがって、より広い態様における本発明は、示され説明された具体的な詳細や代表的な装置および方法や説明的例示に制限されない。したがって、大きな発明概念の精神や範囲から逸脱することなしに、そのような詳細からの逸脱がなされうる。
［請求項１］
電力送信器と少なくともひとつの電力受信器とを備える電力伝送システムであって、前記電力送信器は複数の送信コイルを有し、コントローラの制御の下で、複数のモードで電力を前記少なくともひとつの電力受信器の受信コイルに送信することを前記複数の送信コイルに選択的に行わせることが可能であり、
前記コントローラは、前記電力伝送の前記モードを制御するために、前記電力受信器の特性を検出するよう構成されるシステム。
［請求項２］
前記電力受信器の前記特性は、前記受信器の負荷への電力フローを制御するための回路を前記電力受信器が備えているか否かを含む請求項１に記載のシステム。
［請求項３］
前記コントローラは前記電力受信器と通信し、前記特性についての情報を前記電力受信器から受信するよう構成される請求項１に記載のシステム。
［請求項４］
前記コントローラは前記電力送信器と前記電力受信器との間で伝送される電力信号の変調を通じて前記電力受信器と通信するよう構成される請求項３に記載のシステム。
［請求項５］
前記電力送信器および前記電力受信器は、前記電力信号がそれらの間を電磁誘導を通じて伝送されるように構成される請求項４に記載のシステム。
［請求項６］
前記電力送信器は、物体検出コイルによって誘起された磁場の中の物体を検出するための物体検出器を備える請求項５に記載のシステム。
［請求項７］
前記コントローラは、結合された送信コイルと受信コイルとの間を通る変調電力信号から受信器デバイスバージョン情報を抽出し、前記バージョン情報に基づいて電力伝送の前記モードを制御する請求項３から６のいずれか一項に記載のシステム。
［請求項８］
前記コントローラは、結合された送信コイルと受信コイルとの間を通る変調電力信号から受信器デバイス構成情報を抽出し、前記構成情報に基づいて電力伝送の前記モードを制御する請求項３から７のいずれか一項に記載のシステム。
［請求項９］
前記受信器デバイスに送信される最大電力は、前記構成情報にしたがって制御される請求項８に記載のシステム。
［請求項１０］
前記受信器に電力を供給するのに必要な送信コイルの数は、前記構成情報にしたがって制御される請求項８または９に記載のシステム。
［請求項１１］
受信器位置フェーズ中、エネルギ伝送の前に、前記コントローラは、駆動された送信コイルから前記受信器が受信した信号の強度の指標に関する情報であって前記受信器から受信した情報に基づいて、前記複数の送信コイルのうちのどれを駆動するかを選択的に制御する請求項１から１０のいずれか一項に記載のシステム。
［請求項１２］
受信器位置フェーズ中、前記制御回路は前記電力調整回路からの駆動信号を各電力送信コイルに順番に接続し、各コイルに所定の期間エネルギを与える請求項１１に記載のシステム。
［請求項１３］
前記複数の送信コイルのそれぞれは、少なくともそのコイルと同一平面上にある少なくともひとつの磁性体要素を囲む請求項１から１２のいずれか一項に記載のシステム。
［請求項１４］
各磁性体要素は各コイルの上方に延びる請求項１３に記載のシステム。
［請求項１５］
請求項１から１４のいずれか一項に記載の前記システムを用いる電力伝送方法であって、前記コントローラは、前記電力受信器に電力を伝送する前に、前記電力受信器の前記特性を検出する方法。
［請求項１６］
ひとつ以上の受信コイルを有する誘導性電力伝送受信器に電力を供給するための誘導性電力伝送送信器であって、
（１）複数の送信コイル、
（２）駆動時に送信コイルに駆動信号を供給するための電力調整回路、
（３）駆動された送信コイルから受信コイルが受信した信号の強度の指標に関する情報であって前記受信器から前記送信器が受信した情報に基づいて、前記複数の送信コイルのうちのどれが前記電力調整回路によって駆動されるかを選択的に制御する制御回路、を備える送信器。
［請求項１７］
受信器位置フェーズ中、前記制御回路は前記電力調整回路からの駆動信号を各電力送信コイルに順番に接続し、各コイルに所定の期間エネルギを与える請求項１６に記載の送信器。
［請求項１８］
前記所定の期間は信号強度パケットを受信するための見込み受信期間に対応する請求項１５または１６に記載の送信機。
［請求項１９］
前記制御回路は、前記複数の送信コイルのうちのどれが駆動されるべきかを選択するために、コイルが駆動されることに応じて受信器から受信した情報を前記駆動されたコイルに関連付ける請求項１７または１８に記載の送信器。
［請求項２０］
結合された送信コイルと受信コイルとの間を通る電力信号の変調を検出し、送信コイルと受信コイルとのペアの間の結合の指標を得る通信モジュールを含む請求項１９に記載の送信器。
［請求項２１］
前記通信モジュールは、受信器が送信した信号強度パケットから信号強度値を抽出し、送信コイルと受信コイルとのペアの間の結合の指標を得る請求項２０に記載の送信器。
［請求項２２］
前記複数の送信コイルのうちの前記ひとつ以上の選択の次に、前記複数の送信コイルのうちの前記ひとつ以上には前記所定の期間よりも長くエネルギが与えられ、それにより前記受信器からのさらなるパケットの受信が可能となる請求項１７から２１のいずれか一項に記載の送信器。
［請求項２３］
前記制御回路は、前記受信器に電力を供給するために単一の送信コイルを選択する請求項１６から２２のいずれか一項に記載の送信器。
［請求項２４］
前記選択された単一の送信コイルは、最も高い関連付けられた信号強度値を有する前記送信コイルである請求項２３に記載の送信器。
［請求項２５］
前記制御回路は、前記受信器に電力を供給するために二つ以上の送信コイルを選択する請求項１６から２２のいずれか一項に記載の送信器。
［請求項２６］
前記制御回路は、最も高い関連付けられた信号強度値を有する前記送信コイルと、次に高い関連付けられた信号強度値を有する前記送信コイルと、を選択する請求項２５に記載の送信器。
［請求項２７］
前記制御回路は、前記送信器が受信した情報に含まれる前記電力受信器の特性に応じて、前記電力調整回路を制御する請求項１６から２６のいずれか一項に記載の送信器。
［請求項２８］
物体検出システムを含み、前記制御システムは前記物体検出システムが物体を検出すると前記送信コイルにエネルギを与える請求項１６から２７のいずれか一項に記載の送信器。
［請求項２９］
前記物体検出システムはひとつ以上の物体検出コイルを含む請求項２８に記載の送信器。
［請求項３０］
前記通信モジュールは、結合された送信コイルと受信コイルとの間を通る変調信号から受信器識別情報を抽出し、前記識別情報に基づいて前記電力調整回路の動作を制御する請求項２０に記載の送信器。
［請求項３１］
複数の送信コイルを有するＩＰＴ電力送信器とひとつ以上の受信コイルを有する電力受信器とを含むＩＰＴ電力システムにおいて、ひとつ以上の送信コイルを選択的に駆動する方法は、
ａ．受信器位置フェーズ中に、電力送信コイルを順番に駆動して各コイルに所定の期間エネルギを与えるステップと、
ｂ．前記受信器の前記ひとつ以上の受信コイルにエネルギが与えられたことを検出し、それに応じて前記受信器から前記送信器へ信号強度情報を送信するステップと、
ｃ．受信された信号強度情報とエネルギが与えられた送信コイルとを関連付けるステップと、
ｄ．各送信コイルに関連付けられた前記信号強度情報に基づいて、電力伝送中にどの送信コイルを駆動するかを決定するステップと、を含む方法。
［請求項３２］
前記所定の期間は信号強度パケットを受信するための見込み受信期間に対応する請求項３１に記載の方法。
［請求項３３］
前記受信器は、前記電力送信器と前記電力受信器との間で伝送される電力信号の変調によって、前記送信器に信号を送信する請求項３１または３２に記載の方法。
［請求項３４］
前記信号強度情報は信号強度パケットで送信される請求項３１から３３のいずれか一項に記載の方法。
［請求項３５］
前記信号強度パケットは受信器識別情報を含む請求項３４に記載の方法。
［請求項３６］
前記送信器は前記受信器識別情報に基づいてバージョン情報を決定する請求項３５に記載の方法。
［請求項３７］
前記送信器の動作の前記モードは前記バージョン情報にしたがって制御される請求項３６に記載の方法。
［請求項３８］
前記受信器位置フェーズの次に、前記受信器は受信器識別情報を結合された送信器に送信する請求項３５から３７のいずれか一項に記載の方法。
［請求項３９］
前記受信器識別情報は識別パケットで送信される請求項３８に記載の方法。
［請求項４０］
前記識別パケットは前記受信器の動作の前記モードを特定するバージョンコードを含む請求項３９に記載の方法。
［請求項４１］
前記識別パケットは前記受信器の前記製造者を特定する製造者コードを含む請求項３９または４０に記載の方法。
［請求項４２］
前記識別パケットは一意の識別子を含む請求項３９から４１のいずれか一項に記載の方法。
［請求項４３］
前記通信回路は受信器デバイス構成情報を結合された送信器に送信する請求項３９から４２のいずれか一項に記載の方法。
［請求項４４］
前記構成情報は構成パケットで送信される請求項４３に記載の方法。
［請求項４５］
前記電力受信器に送信される最大電力は前記構成パケットに含まれる請求項４４に記載の方法。
［請求項４６］
前記送信器は、前記複数の送信コイルのうちのどれが駆動されるべきかを選択するために、コイルが駆動されることに応じて受信器から受信した情報を前記駆動された送信コイルに関連付ける請求項３１から４５のいずれか一項に記載の方法。
［請求項４７］
前記送信器は、前記受信器に電力を供給するために単一の送信コイルを選択する請求項４６に記載の方法。
［請求項４８］
前記選択された単一の送信コイルは、最も高い関連付けられた信号強度値を有する前記送信コイルである請求項４７に記載の方法。
［請求項４９］
前記制御回路は、前記受信器に電力を供給するために二つ以上の送信コイルを選択する請求項４６に記載の方法。
［請求項５０］
前記制御回路は、最も高い関連付けられた信号強度値を有する前記送信コイルと、次に高い関連付けられた信号強度値を有する前記送信コイルと、を選択する請求項４９に記載の方法。
［請求項５１］
前記送信器は、前記送信器が受信した情報に含まれる前記電力受信器の特性に応じて、前記受信器に電力を供給する請求項３１から５０のいずれか一項に記載の方法。
［請求項５２］
各パケットは受信器識別コードを含む請求項３８から５１のいずれか一項に記載の方法。
［請求項５３］
前記受信器識別コードは一意の受信器識別コードである請求項５２に記載の方法。
［請求項５４］
前記受信器位置フェーズの前に物体検出ステップを含む請求項３１から５３のいずれか一項に記載の方法。
［請求項５５］
（１）受信コイル、
（２）誘導性電力伝送送信コイルから前記受信コイルが受信した信号の強度を測定するための信号強度測定回路、
（３）誘導性電力伝送送信コイルから電力を受信すると、前記測定された信号強度および受信器識別情報に関する信号を前記誘導性電力伝送送信器に送信する通信回路、を備える誘導性電力伝送受信器。
［請求項５６］
前記受信器が送信する全ての通信において受信器識別情報が送信される請求項５５に記載の受信器。
［請求項５７］
複数の隣り合う送信コイルを含む誘導性電力伝送送信器であって、各巻き線は中央開口を定め、複数の隣り合うコイルの前記中央開口は共通開口を定め、透磁性材料により形成されるスラグが前記共通開口のうちの少なくともいくつかの中に設けられ、かつ前記複数の送信コイルの上に突き出ている誘導性電力伝送送信器。
［請求項５８］
前記スラグは、前記コイルの下に設けられた透磁性材料の層から突き出る請求項５７に記載の送信器。
［請求項５９］
少なくともいくつかの隣り合うコイルは複数の層を有し、それら複数の層は交互に配置される請求項５７または５８に記載の送信器。
［請求項６０］
送信器であって、各巻き線は中央開口を定め、複数の隣り合うコイルの前記中央開口は共通開口を定め、透磁性材料により形成されるスラグが前記共通開口のうちの少なくともいくつかの中に設けられる送信器。
［請求項６１］
最も上のコイルの上層は上面を定め、各スラグは上面の上に突き出る請求項６０に記載の送信器。
［請求項６２］
複数の送信コイルを含み、各コイルは複数の巻き線層からなり、少なくともいくつかのコイルはオフセットされ、それらの複数の層は交互に配置される請求項６０または６１に記載の誘導性電力伝送送信器。
［請求項６３］
前記スラグは、前記コイルの下に設けられた透磁性材料の層から突き出る請求項６０から６２のいずれか一項に記載の送信器。
［請求項６４］
少なくともいくつかのコイルの各層の前記巻き線は、電気的に並列に接続された複数の並列巻き線として形成される請求項６０から６３のいずれか一項に記載の送信器。
［請求項６５］
少なくともいくつかのコイルの各層の前記巻き線は、電気的に並列に接続された三つの並列巻き線として形成される請求項６４に記載の送信器。
［請求項６６］
前記並列巻き線のうちの少なくともいくつかの径方向変位は層間で変わる請求項６４または６５に記載の送信器。
［請求項６７］
一対の並列巻き線は、層間において、前記コイルの中央に最も近いのと前記コイルの中央から最も遠いのとの間で入れ替わる請求項６６に記載の送信器。
［請求項６８］
複数の送信コイルを含む誘導性電力伝送送信器であって、各コイルは複数の巻き線層からなり、前記複数の巻き線は、電気的に並列に接続された複数の並列巻き線として形成される誘導性電力伝送送信器。
［請求項６９］
前記複数の並列巻き線は各層上に形成され、層間で互いに接続される請求項６８に記載の送信器。
［請求項７０］
少なくともいくつかのコイルの各層の前記複数の巻き線は電気的に並列に接続された三つの並列巻き線として形成される請求項６８または６９に記載の送信器。
［請求項７１］
前記並列巻き線のうちの少なくともいくつかの径方向変位は層間で変わる請求項６８から７０のいずれか一項に記載の送信器。
［請求項７２］
一対の並列巻き線は、層間において、前記コイルの中央に最も近いのと前記コイルの中央から最も遠いのとの間で入れ替わる請求項７１に記載の送信器。
［請求項７３］
各巻きの前記並列巻き線は巻き線層の間に分布する請求項６８に記載の送信器。
［請求項７４］
各巻きの前記並列巻き線は二つの層の間で分けられている請求項７３に記載の誘導性電力伝送送信器。
［請求項７５］
前記並列巻き線は層間でオフセットされる請求項６８から７４のいずれか一項に記載の誘導性電力伝送送信器。
［請求項７６］
各巻き線は透磁性材料から形成されるスラグを含み、該スラグは前記巻き線に誘導される電流を実質的に低減するのに十分な程度に各コイルの上方に延びる請求項５７から７５のいずれか一項に記載の誘導性電力伝送送信器。
［請求項７７］
各スラグは各巻き線の上部の上に各巻き線の高さ程度だけ突き出る請求項７６に記載の誘導性電力伝送送信器。
［請求項７８］
各スラグは各巻き線の上部の上に１ミリメートル以上突き出る請求項７６に記載の誘導性電力伝送送信器。
［請求項７９］
各スラグは各巻き線の上部の上に約１ミリメートル突き出る請求項７６に記載の誘導性電力伝送送信器。
［請求項８０］
各送信コイルの中に四つの共通開口が定められる請求項６８から７９のいずれか一項に記載の誘導性電力伝送送信器。
［請求項８１］
各共通開口にスラグが設けられる請求項８０に記載の誘導性電力伝送送信器。
［請求項８２］
前記送信コイルに誘導される電流を低減するために、各送信コイルと各スラグとの間にエアギャップが設けられる請求項８１に記載の誘導性電力伝送送信器。
［請求項８３］
複数の送信コイルを有する誘導性電力伝送送信器であって、コントローラの制御の下で、複数のモードで電力を少なくともひとつの電力受信器の受信コイルに送信することを前記複数の送信コイルに選択的に行わせることが可能であり、
前記コントローラは、前記電力伝送の前記モードを制御するために、前記電力受信器の特性を検出するよう構成される誘導性電力伝送送信器。
［請求項８４］
前記電力受信器の前記特性は、前記受信器の負荷への電力フローを制御するための回路を前記電力受信器が備えているか否かを含む請求項８３に記載の誘導性電力伝送送信器。
［請求項８５］
前記コントローラは前記電力受信器と通信し、前記特性についての情報を前記電力受信器から受信するよう構成される請求項８３または８４に記載の誘導性電力伝送送信器。
［請求項８６］
前記コントローラは前記電力送信器と前記電力受信器との間で伝送される電力信号の変調を通じて前記電力受信器と通信するよう構成される請求項８３から８５のいずれか一項に記載の誘導性電力伝送送信器。
［請求項８７］
前記電力信号は電磁誘導により伝送される請求項８６に記載の誘導性電力伝送送信器。
［請求項８８］
物体検出コイルによって誘起された磁場の中の物体を検出するための物体検出器を備える請求項８３から８７のいずれか一項に記載の誘導性電力伝送送信器。
［請求項８９］
前記コントローラは、結合された送信コイルと受信コイルとの間を通る変調電力信号から受信器デバイスバージョン情報を抽出し、前記バージョン情報に基づいて電力伝送の前記モードを制御する請求項８５から８８のいずれか一項に記載の誘導性電力伝送送信器。
［請求項９０］
前記受信器デバイスに送信される最大電力は、前記バージョン情報にしたがって制御される請求項８９に記載の誘導性電力伝送送信器。
［請求項９１］
前記受信器に電力を供給するのに必要な送信コイルの数は、前記バージョン情報にしたがって制御される請求項８９または９０に記載の誘導性電力伝送送信器。
［請求項９２］
受信器位置フェーズ中、エネルギ伝送の前に、前記コントローラは、駆動された送信コイルから前記受信器が受信した信号の強度の指標に関する情報であって前記受信器から受信した情報に基づいて、前記複数の送信コイルのうちのどれを駆動するかを選択的に制御する請求項８３から９１のいずれか一項に記載の誘導性電力伝送送信器。
［請求項９３］
受信器位置フェーズ中、前記制御回路は前記電力調整回路からの駆動信号を各電力送信コイルに順番に接続し、各コイルに所定の期間エネルギを与える請求項９２に記載の誘導性電力伝送送信器。
［請求項９４］
前記複数の送信コイルのそれぞれは、少なくともそのコイルと同一平面上にある少なくともひとつの磁性体要素を囲む請求項８３から９３のいずれか一項に記載の誘導性電力伝送送信器。
［請求項９５］
各磁性体要素は各コイルの上方に延びる請求項９４に記載の誘導性電力伝送送信器。
［請求項９６］
（１）ひとつ以上の受信コイル、
（２）前記受信コイルにおいて誘導性電力伝送送信コイルから電力を受信すると、前記受信器の前記特性に関する信号を前記誘導性電力伝送送信器に送信する通信回路、を備える誘導性電力伝送受信器。
［請求項９７］
前記受信器は前記受信器の負荷への電力フローを制御するための電力フローコントローラを含む請求項９６に記載の誘導性電力伝送受信器。
［請求項９８］
前記通信回路によって通信される前記特性は電力フロー制御特性を含む請求項９７に記載の誘導性電力伝送受信器。
［請求項９９］
前記通信回路は、電力送信器と前記電力受信器との間で送信される電力信号の変調を通じて、前記電力送信器と通信するよう構成される請求項９６から９８のいずれか一項に記載の誘導性電力伝送受信器。
［請求項１００］
前記電力信号は電磁誘導によって送信される請求項９９に記載の誘導性電力伝送受信器。
［請求項１０１］
前記特性はバージョン情報を含む請求項９６から１００のいずれか一項に記載の誘導性電力伝送受信器。
［請求項１０２］
前記バージョン情報は前記受信器の電力伝送の前記モードを含む請求項１０１に記載の誘導性電力伝送受信器。
［請求項１０３］
前記バージョン情報は信号強度パケットに続くパケットで送られる請求項１０１または１０２に記載の誘導性電力伝送受信器。
［請求項１０４］
前記特性は構成情報を含む請求項９６から１０３に記載の誘導性電力伝送受信器。
［請求項１０５］
前記構成情報は、前記ひとつ以上の受信コイルに電力を提供するために駆動が必要な送信コイルの数を含む請求項１０４に記載の誘導性電力伝送受信器。
［請求項１０６］
電力送信器から受信した電力信号の強度に関する信号強度情報が他の通信より前に送られる請求項９６から１０５のいずれか一項に記載の誘導性電力伝送受信器。